(57)【要約】【課題】太陽光がフロントガラスを通して車両内に差し込み、車両内が高温になることを効果的に防止することができ、しかも取扱いと保管に便利であり、体裁面でも好ましい車両用日除け装置を提供する。【解決手段】車両におけるフロントガラス３の内側に配設された遮光板１には太陽光を反射するスクリーン５を巻き取り及び繰り出し自在に内設し、該スクリーンを巻き取る方向に付勢するばね１３を配設し、該スクリーンの先端縁５ａを車両のインストルメントパネル１５に止着するための止着手段１７を備えさせたことを特徴とする車両用日除け装置。【選択図】図１
2012051458.tif 000002
【特許請求の範囲】
【請求項１】
車両におけるフロントガラスの内側に配設された遮光板には太陽光を反射するスクリーンを巻き取り及び繰り出し自在に内設し、該スクリーンを巻き取る方向に付勢するばねを配設し、該スクリーンの先端縁を車両のインストルメントパネルに止着するための止着手段を備えさせたことを特徴とする車両用日除け装置。
【請求項２】
前記スクリーンは前記遮光板内に固定された支軸に回転自在に支持されたドラムに巻かれ、前記ばねは該支軸と該ドラムとの間に取り付けられていることを特徴とする請求項１に記載の車両用日除け装置。
【発明の詳細な説明】
【技術分野】
【０００１】
本発明は、車両用日除け装置に関するものであり、更に詳しくは、自動車等の車両におけるフロントガラス（ウインドシールド）を通して車両内に差し込む太陽光を反射させるために該フロントガラスの内側に配設される車両用日除け装置に係るものである。
【背景技術】
【０００２】
自動車等の車両は、フロントガラスを通して車両内に差し込む太陽光を遮光するために該フロントガラスの内側に遮光板（サンバイザー）（以下「従来の遮光板」という。）を備えている。
【０００３】
実用新案登録第３０２４４６６号公報は、遮光板に折畳み自在かつ着脱自在に取り付けられる補助日除け（以下「従来の補助日除け」という。）を開示している。
【先行技術文献】
【特許文献】
【０００４】
【特許文献１】実用新案登録第３０２４４６６号公報
【発明の概要】
【発明が解決しようとする課題】
【０００５】
上記従来の遮光板及び従来の補助日除けは、いずれも車両の運転中における防眩を意図したものである。換言すれば、上記従来の遮光板及び従来の補助日除けは、十分な前方視認性を確保しつつ、防眩効果を発揮するものである。したがって、上記従来の遮光板及び従来の補助日除けは、運転者ないし同乗者の目に太陽光が入ることを防止すれば足りるのである。
【０００６】
車両を太陽光が当る駐車場等の場所に長時間にわたり駐車しておくと、車両内はフロントガラスを通して車両内に差し込む太陽光により高温になり、車両内の装置、部材等に悪影響を及ぼす。しかるに、上記従来の遮光板及び従来の補助日除けは、上述の如く、十分な前方視認性を確保することが要求されるため、太陽光がフロントガラスを通して車両内に差し込むことを防ぐことができない。
【０００７】
したがって、車両を太陽光が当る駐車場等の場所に長時間にわたり駐車しておく場合には、上記従来の遮光板及び従来の補助日除けを用いても、フロントガラスを通して車両内に差し込む太陽光により車両内が高温になることは避けられない。
【０００８】
一方、車両を太陽光が当る駐車場等の場所に長時間にわたり駐車しておく場合に、フロントガラスの外側ないし内側に反射用のシートないしスクリーンを取り付けることもしばしば行われているが、このような反射用のシートないしスクリーンは、車両に対する着脱が面倒であると共に、保管に不便であり、体裁面でも好ましいものではない。
【０００９】
本発明は、上記従来の技術における上述の如き問題を解決し、太陽光がフロントガラスを通して車両内に差し込み、車両内が高温になることを効果的に防止することができ、しかも取扱いと保管に便利であり、体裁面でも好ましい車両用日除け装置を提供しようとしてなされたものである。
【課題を解決するための手段】
【００１０】
上記課題を解決するために、本発明は、下記の車両用日除け装置を提供するものである。
【００１１】
（１）車両におけるフロントガラスの内側に配設された遮光板には太陽光を反射するスクリーンを巻き取り及び繰り出し自在に内設し、該スクリーンを巻き取る方向に付勢するばねを配設し、該スクリーンの先端縁を車両のインストルメントパネルに止着するための止着手段を備えさせたことを特徴とする車両用日除け装置（請求項１）。
【００１２】
（２）前記スクリーンは前記遮光板内に固定された支軸に回転自在に支持されたドラムに巻かれ、前記ばねは該支軸と該ドラムとの間に取り付けられている（請求項２）。
【発明の効果】
【００１３】
［請求項１の発明］
車両におけるフロントガラスの内側に配設された遮光板に巻き取り及び繰り出し自在に内設されているスクリーンをばねの力に抗して繰り出し、該スクリーンの先端縁を止着手段により車両のインストルメントパネルに止着したときには、フロントガラスの内側に太陽光を反射するスクリーンが張設される。このスクリーンは太陽光を反射するため、太陽光がフロントガラスを通して車両内に差し込み、車両内が高温になることを効果的に防止することができる。したがって、車両を直射太陽光が当る駐車場等の場所に長時間にわたり駐車しておく場合でも、車両内の装置、部材等が悪影響を受けるおそれがない。また、スクリーンを巻き取る方向に付勢するばねを配設しているため、スクリーンの先端縁を止着手段により車両のインストルメントパネルに止着した後、該止着手段を解除したときには、該スクリーンは該ばねの力により遮光板内の元の位置に戻る。このように、車両用日除け装置は取り扱いに便利である。更に、スクリーンは遮光板に内設されているため、保管、体裁等の面でも申し分ない。
【００１４】
［請求項２の発明］
スクリーンは遮光板内に固定された支軸に回転自在に支持されたドラムに巻かれ、前記ばねは該支軸と該ドラムとの間に取り付けられているため、スクリーンの巻き取り及び繰り出しは極めて円滑に行われる。
【図面の簡単な説明】
【００１５】
【図１】図１は、本考案による車両用日除け装置の一例を示す断面図である。
【図２】図２は、同上車両用日除け装置の側面図である。
【発明を実施するための形態】
【００１６】
符号１に示すものは、自動車等の車両におけるフロントガラス３の内側に配設された遮光板である。遮光板１は、通常、車両内における運転席と助手席との前上方にそれぞれ配設されている。
【００１７】
遮光板１には、太陽光を反射するスクリーン５を巻き取り及び繰り出し自在に内設する。
【００１８】
スクリーン５は、一例として、巻き取り可能な合成樹脂層にアルミ箔層をラミネートしてなるものである。該合成樹脂層は、例えば、ポリエチレン、ポリエチレンテフタレート、ポリプロピレン、ナイロン等よりなるものである。
【００１９】
スクリーン５は、好ましくは、遮光板１内に固定された水平方向の支軸７に回転自在に支持されたドラム９に巻かれる。スクリーン５の先端縁５ａは、該スクリーン５がドラム９に巻き取られたときに、遮光板１に形成された開口部１１より若干露出するようになすことが望ましい。符号８、１０に示すものは支軸７の支承手段である。
【００２０】
スクリーン５を巻き取る方向に付勢するばね１３を配設する。
【００２１】
図１に示す事例においては、ばね１３は、コイルばねであって、該ばね１３の端部１３ａ、１３ｂにて、支軸７とドラム９との間に取り付けられている。この事例においては、ばね１３は、ドラム９内の各端部に合計２個配設されている。
【００２２】
スクリーン５の先端縁５ａを車両のインストルメントパネル１５に解除自在に止着するための止着手段１７を備えさせる。
【００２３】
止着手段１７としては、例えば、スクリーン５の先端縁５ａに永久磁石ないし鉄片を取り付け、インストルメントパネル１５に鉄片ないし永久磁石を取り付けてもよいが、スクリーン５の先端縁５ａとインストルメントパネル１５とに面ファスナーを取り付けてもよい。
【００２４】
なお、スクリーン５は、車両内における各遮光板１に巻き取り及び繰り出し自在に内設する。
【符号の説明】
【００２５】
１  遮光板
３  フロントガラス
５  スクリーン
５ａ  先端縁
７  支軸
８  支承手段
９  ドラム
１０  支承手段
１１  開口部
１３  ばね
１３ａ  端部
１３ｂ  端部
１５  インストルメントパネル
１７  止着手段
【図１】
2012051458.tif 000003
【図２】
2012051458.tif 000004